(57)【特許請求の範囲】
【請求項１】
静止原稿用の原稿読取面と搬送原稿用の原稿読取面とを有する装置本体上に開閉自在に設けられ、装置本体上の原稿読取面にセットした静止原稿を押圧する原稿押圧板であって、この原稿押圧板はその一端の自動原稿搬送部のフレームを含んで樹脂一体成形されると共に上記搬送原稿用の原稿読取部に位置する開口部が形成され、上記自動原稿搬送部は、給紙トレイとその下部の排紙トレイとを結んで湾曲した原稿搬送路に沿って複数の搬送ローラを備え、上記原稿押圧板上にこれら搬送ローラを回転自在に支持する一対の金属製サイドフレームを設け、上記自動原稿搬送部の位置する原稿押圧板の下面に、上記サイドフレーム同士を連結する補強ステーを上記開口部の原稿搬送方向前後に該開口部を横断するように設けたことを特徴とする原稿押圧板。
【請求項２】
上記補強ステーの両端がネジにより上記原稿押圧板を介して上記サイドフレームにネジ止めされている請求項１記載の原稿押圧板。
【発明の詳細な説明】
【０００１】
【発明の属する技術分野】
本発明は、ファックス装置やコピー機等の原稿押圧板に係り、特に、読取位置に原稿を自動的に搬送するＡＤＦ装置を有する原稿押圧板に関するものである。
【０００２】
【従来の技術】
ファックス装置やコピー機等には、装置本体側にＦＢＳ（フラットベットスキャナ）を備えると共に、装置本体に対して開閉自在な原稿押圧板には、ＡＤＦ装置（自動原稿搬送部）を備えており、ＦＢＳ方式で原稿を読み取るときには、原稿押圧板を開いて装置本体側の読み取り面に文書等をセットして原稿押圧板を閉じた後、光源、ミラー等をスキャンニングして静止原稿の反射像をＣＣＤに結像させて電気信号に変換し、ＡＤＦ装置を用いて原稿を読み取るときには、シート状の原稿を、自動原稿搬送部にて一枚ずつ搬送してＦＢＳ方式の読取面と別途に設けた原稿読取面に案内し、その読取面で原稿を読み取るようにしている。
【０００３】
従来のＡＤＦ装置としては、装置本体に固定され、ＦＢＳ側の押圧板のみが開閉するもの、原稿押圧板に一体的に固定され、押圧板と共に開閉するものがある。
【０００４】
前者は、ＡＤＦ装置が装置本体に固定されるため、原稿読取部で紙詰まりがあったときの紙の除去に難点があり、このため後者の押圧板と共に開閉するＡＤＦ装置が採用されている。
【０００５】
【発明が解決しようとする課題】
ところで、この押圧板に一体的に固定するＡＤＦ装置は、押圧板の一端に金属製のステーを組み込み、これに各搬送ローラを支持させたり、これを原稿用紙の搬送ガイドとしたりしている。この構成では、強度は十分であるが、嵩高、重量増、コスト高となってしまう問題がある。
【０００６】
そこで、搬送ローラの支持部や搬送ガイドなどを押圧板と一体に樹脂成型にすることが望ましいが、樹脂では強度が不十分である。またコンパクト化のためには、搬送ローラや各種部品などの組み付けを押圧板の下面から行う必要があり、このため押圧板には、これら搬送ローラや部品を組み付けるための開口部が必要となり、このため益々強度の低下を来すと共に、部品等の露出による見栄えの悪さといった問題がある。
【０００７】
そこで、本発明の目的は、上記課題を解決し、ＡＤＦ装置を原稿押圧板に一体に取り付けるにおいて原稿押圧板の強度を十分に保てる原稿押圧板を提供することにある。
【０００８】
【課題を解決するための手段】
上記目的を達成するために、請求項１の発明は、静止原稿用の原稿読取面と搬送原稿用の原稿読取面とを有する装置本体上に開閉自在に設けられ、装置本体上の原稿読取面にセットした静止原稿を押圧する原稿押圧板であって、この原稿押圧板はその一端の自動原稿搬送部のフレームを含んで樹脂一体成形されると共に上記搬送原稿用の原稿読取部に位置する開口部が形成され、上記自動原稿搬送部は、給紙トレイとその下部の排紙トレイとを結んで湾曲した原稿搬送路に沿って複数の搬送ローラを備え、上記原稿押圧板上にこれら搬送ローラを回転自在に支持する一対の金属製サイドフレームを設け、上記自動原稿搬送部の位置する原稿押圧板の下面に、上記サイドフレーム同士を連結する補強ステーを上記開口部の原稿搬送方向前後に、該開口部を横断するように設けたことを特徴とする原稿押圧板である。
【０００９】
請求項２の発明は、補強ステーの両端がネジにより原稿押圧板を介してサイドフレームにネジ止めされている請求項１記載の原稿押圧板である。
【００１１】
【発明の実施の形態】
以下、本発明の好適一実施の形態を添付図面に基づいて詳述する。
【００１２】
先ず、ファクシミリ装置等における本発明のＡＤＦ装置の全体構成を図４により説明する。
【００１３】
図４において、１０はファクシミリ等の装置本体で、装置本体１０上に開閉自在な原稿押圧板１１が開閉自在に設けられ、その原稿押圧板１１に、装置本体１０に形成した原稿読取面１２に原稿を１枚ずつ搬送して読み取らせるためのＡＤＦ装置（自動原稿搬送部）１３が設けられる。
【００１４】
ＡＤＦ装置１３は、給紙トレイ１４とその下部に排紙トレイ１５を備え、その給紙トレイ１４と排紙トレイ１５とを結んで湾曲した原稿搬送路１６が形成され、その原稿搬送路１６に沿って複数の搬送ローラ１７が設けられる。
【００１５】
この搬送ローラ１７は、給紙トレイ１４側から排紙トレイ１５にかけて繰り込みローラ１８とリタードローラ１９、第１紙送りローラ２０と第１従動ローラ２１、第２紙送りローラ２２と第２従動ローラ２３、第３紙送りローラ２４と第３従動ローラ２５、及び排出駆動ローラ２６と排出従動ローラ２７が、順にそれぞれ給紙を挟んで送るよう対向して設けられる。
【００１６】
また、リタードローラ１９、第１紙送りローラ２０、第２紙送りローラ２２、第３紙送りローラ２４、及び排出従動ローラ２７は、原稿搬送路１６の内周側に位置するように配置され、繰り込みローラ１８、第１従動ローラ２１、第２従動ローラ２３、第３従動ローラ２５、及び排出駆動ローラ２６は、原稿搬送路１６の外周側に位置するように配置され、この各搬送ローラ１７間には、原稿搬送路１６を形成するための内周側ガイド２８と外周側ガイド２９がそれぞれ設けられる。この内周側ガイド２８は、搬送部フレームとして押圧板１１と一体に樹脂成形にて形成される。
【００１７】
なお、装置本体１０にはＡＤＦによる原稿読取面１２の他にＦＢＳによる原稿読取ガラス面３０が形成され、排紙トレイ１５の下面には、装置本体１０の読取ガラス面３０にセットした原稿を押さえる原稿押さえ面３１が形成され、装置本体１０には、読取ガラス面３０に原稿をセットしたときは図示していないＦＢＳが作動して原稿の画像を読み取り、ＡＤＦ装置１３の給紙トレイ１４に原稿をセットしたときは、ＡＤＦ装置１３の各搬送ローラ１７が作動して原稿を原稿搬送路１６に沿って搬送すると共に原稿読取面１２で原稿の画像を読み取るようになっている。
【００１８】
さて、図１に示すように樹脂製の原稿押圧板１１上に一対の板金加工された金属製のサイドフレーム３２，３２が設けられ、そのサイドフレーム３２，３２間に、ＡＤＦ装置１３の各搬送ローラ１７、すなわち、リタードローラ１９、第１紙送りローラ２０、第２紙送りローラ２２、第３紙送りローラ２４及び排出駆動ローラ２６が回転自在に支持され、これらは、図示していないが開閉のヒンジ側となるサイドフレーム３２に設けたギヤやタイミングベルトなどの伝動装置が連結されると共に駆動モータでそれぞれ所定の回転で駆動されるようになっている。
【００１９】
この原稿押圧板１１には、サイドフレーム３２，３２間に、原稿読取面１２を含んだ原稿搬送方向前後に亘って開口部３３が形成され、その開口部３３の原稿搬送方向前後に図２に示すように、原稿押圧板１１の下部から、板金加工にて形成された補強ステー３４、３５が開口部３３を横断するように設けられ、その補強ステー３４、３５の両端が、ネジ３６により原稿押圧板１１を介してサイドフレーム３２，３２にネジ止めされ、またその途中はネジ３７により原稿押圧板１１にネジ止めされる。
【００２０】
開口部３３には、原稿読取面１２を移動する原稿を保持する内側ガイド２８ａが臨んで設けられ、その内側ガイド２８ａが、第２紙送りローラ２２の軸に回動自在に設けられると共に図示していないスプリングにより、内側ガイド２８ａが原稿読取面１２に接するように付勢されている。
【００２１】
また、第２従動ローラ２３、第３従動ローラ２５は、原稿押圧板１１に回転自在に支承され、繰り込みローラ１８、第１従動ローラ２１は、図３に示すようにＡＤＦカバー３８に設けられ、さらに第２紙送りローラ２２に至る外側ガイド２９もＡＤＦカバー３８に支持される。
【００２２】
ＡＤＦカバー３８は、図１に示したサイドフレーム３２の軸受け部４０に対して回動自在に設けられ、ＡＤＦカバー３８を軸受け部４０を中心に回動して開くことで、原稿搬送路１６に詰まった原稿を取り除けるようになっている。
【００２３】
なお、４１は、原稿押圧板１１を装置本体１０に対して開閉するためのヒンジ受け座である。
【００２４】
次に本発明の作用を述べる。
【００２５】
ＡＤＦ装置１３のリタードローラ１９、第１紙送りローラ２０、第２紙送りローラ２２、第３紙送りローラ２４及び排出駆動ローラ２６は、原稿押圧板１１上のサイドフレーム３２，３２に支持され、そのサイドフレーム３２，３２間には開口部３８が形成され、原稿押圧板１１の下部から開口部３３を横断するように補強ステー３４、３５が設けられると共にネジ３６により原稿押圧板１１を介してサイドフレーム３２に連結されるため、部品点数を増加させることなく原稿押圧板１１の開口部３８周りの強度が向上することが可能となる。
【００２６】
また、この補強ステー３４，３５は、補強できる最小限の幅でよく見栄えが悪くならず、しかも取り外しができるため、開口部３３に位置した従動ローラ２３，２５の取り替えやメンテナンス等が容易に行える。
【００２７】
【発明の効果】
以上要するに本発明によれば、ＡＤＦ装置の小型化ができると共に原稿押圧板の強度を向上させることが可能となる。
【図面の簡単な説明】
【図１】本発明の一実施の形態を示す要部断面図である。
【図２】図１の原稿押圧板の裏面を示す図である。
【図３】図１の別の位置から見た要部断面図である。
【図４】図１の全体構成を示す断面図である。
【符号の説明】
１０  装置本体
１１  原稿押圧板
１２  読取面
１３  ＡＤＦ装置（自動原稿搬送部）
１７  搬送ローラ
３２，３２  サイドフレーム
３３  開口部
３４，３５  補強ステー
【図１】
0003968938.tif 000002
【図２】
0003968938.tif 000003
【図３】
0003968938.tif 000004
【図４】
0003968938.tif 000005